(57)【要約】【課題】クライアント信号をＳＤＨ伝送路を介して伝送する場合に、ＶＣパスの数を増加させることなく、十分な帯域が確保できるようにする。【解決手段】クライアント信号受信部３０１でクライアント信号を適切に終端し、ＳＤＨ信号にマッピングするためのバイトデータを抽出し、マッピング処理部３０２で、受信したバイトデータをＳＤＨ信号に格納される複数のＶＣ−４−ＸｃのＶＣパスのペイロード部分へマッピングして、ＳＤＨ伝送路４０３−１〜４０３−Ｎに送信する。ＶＣＡＴを構成するＶＣパスを、ＶＣ−４−Ｘｃ（Ｘ＝４，１６，６４，２５６）に拡張することで、ＶＣパスの数を増加させずに、マッピング可能な帯域が大幅に増加できる。【選択図】  図１
2010273016.tif 000002
【特許請求の範囲】
【請求項１】
クライアント信号をＳＤＨ伝送路を介して伝送する際に、前記クライアント信号をＶＣパス群にマッピングし、バーチャルコンカチネーションにより仮想連結するデータ伝送システムにおいて、
前記ＶＣパス群を構成するＶＣパスは、コンティギュアスコンカチネーションとすることを特徴とするデータ伝送システム。
【請求項２】
前記ＶＣパス群を構成するＶＣパスは、ＶＣ−４のバーチャルコンテナーでＸ個（Ｘ＝４、１６、６４、２５６）に相当するコンティギュアスコンカチネーションであることを特徴とする請求項１に記載のデータ伝送システム。
【請求項３】
クライアント信号をＳＤＨ伝送路を介して伝送する際に、前記クライアント信号をＶＣパス群にマッピングし、バーチャルコンカチネーションにより仮想連結するデータ伝送方法において、
前記クライアント信号を複数のＶＣパスにマッピングし、各ＶＣパスの信号を複数のＳＤＨ伝送路に送信する工程と、
前記複数のＳＤＨ伝送路を介して前記各ＶＣパスのＳＤＨ信号を受信し、当該受信した各ＶＣパスのＳＤＨ信号をデマッピングしてクライアント信号を再生する工程とを含み、
前記ＶＣパス群を構成するＶＣパスは、コンティギュアスコンカチネーションとすることを特徴とするデータ伝送方法。
【請求項４】
前記ＶＣパス群を構成するＶＣパスは、ＶＣ−４のバーチャルコンテナーでＸ個（Ｘ＝４、１６、６４、２５６）に相当するコンティギュアスコンカチネーションであることを特徴とする請求項３に記載のデータ伝送方法。
【請求項５】
クライアント信号をＳＤＨ伝送路を介して伝送する際に、前記クライアント信号をＶＣパス群にマッピングし、バーチャルコンカチネーションにより仮想連結するデータ伝送装置において、
前記クライアント信号を複数のＶＣパスにマッピングし、各ＶＣパスの信号を複数のＳＤＨ伝送路に送信する手段と、
前記複数のＳＤＨ伝送路を介して各ＶＣパスのＳＤＨ信号を受信し、当該受信した各ＶＣパスのＳＤＨ信号をデマッピングしてクライアント信号を再生する手段とを含み、
前記ＶＣパス群を構成するＶＣパスは、コンティギュアスコンカチネーションとすることを特徴とするデータ伝送装置。
【請求項６】
前記ＶＣパス群は、ＶＣ−４のバーチャルコンテナーでＸ個（Ｘ＝４、１６、６４、２５６）に相当するコンティギュアスコンカチネーションであることを特徴とする請求項５に記載のデータ伝送装置。
【請求項７】
クライアント信号をＳＤＨ伝送路を介して伝送する際に、前記クライアント信号をＶＣパス群にマッピングし、バーチャルコンカチネーションにより仮想連結するデータ伝送システムにおいて、
前記ＶＣパス群を構成するＶＣパスは、異なる伝送帯域のバーチャルコンテナーと、コンティギュアスコンカチネーションとの任意の組み合わせとすることを特徴とするデータ伝送システム。
【請求項８】
前記ＶＣパス群を構成するＶＣパスは、ＶＣ−３またはＶＣ−４のバーチャルコンテナーと、ＶＣ−４のバーチャルコンテナーでＸ個（Ｘ＝４、１６、６４、２５６）に相当するコンティギュアスコンカチネーションとの任意の組み合わせとすることを特徴とする請求項７に記載のデータ伝送システム。
【請求項９】
前記異なる伝送帯域のバーチャルコンテナーと、コンティギュアスコンカチネーションとのうち、伝送帯域の大きいものを伝送帯域の小さいものより先にマッピングすることを特徴とする請求項７または８に記載のデータ伝送システム。
【請求項１０】
クライアント信号をＳＤＨ伝送路を介して伝送する際に、前記クライアント信号をＶＣパス群にマッピングし、バーチャルコンカチネーションにより仮想連結するデータ伝送方法において、
前記クライアント信号を複数のＶＣパスにマッピングし、各ＶＣパスの信号を複数のＳＤＨ伝送路に送信する工程と、
前記複数のＳＤＨ伝送路を介して各ＶＣパスのＳＤＨ信号を受信し、当該受信した各ＶＣパスのＳＤＨ信号をデマッピングしてクライアント信号を再生する工程とを含み、
前記ＶＣパス群を構成するＶＣパスは、異なる伝送帯域のバーチャルコンテナーと、コンティギュアスコンカチネーションとの任意の組み合わせとすることを特徴とするデータ伝送方法。
【請求項１１】
前記ＶＣパス群を構成するＶＣパスは、ＶＣ−３またはＶＣ−４のバーチャルコンテナーと、ＶＣ−４のバーチャルコンテナーでＸ個（Ｘ＝４、１６、６４、２５６）に相当するコンティギュアスコンカチネーションとの任意の組み合わせとすることを特徴とする請求項１０に記載のデータ伝送方法。
【請求項１２】
前記異なる伝送帯域のバーチャルコンテナーと、コンティギュアスコンカチネーションとのうち、伝送帯域の大きいものを伝送帯域の小さいものより先にマッピングすることを特徴とする請求項１０または１１に記載のデータ伝送方法。
【請求項１３】
クライアント信号をＳＤＨ伝送路を介して伝送する際に、前記クライアント信号をＶＣパス群にマッピングし、バーチャルコンカチネーションにより仮想連結するデータ伝送装置において、
前記クライアント信号を複数のＶＣパスにマッピングし、各ＶＣパスの信号を複数のＳＤＨ伝送路に送信する手段と、
前記複数のＳＤＨ伝送路を介して各ＶＣパスのＳＤＨ信号を受信し、当該受信した各ＶＣパスのＳＤＨ信号をデマッピングしてクライアント信号を再生する手段とを含み、
前記ＶＣパス群を構成するＶＣパスは、異なる伝送帯域のバーチャルコンテナーと、コンティギュアスコンカチネーションとの任意の組み合わせとすることを特徴とするデータ伝送装置。
【請求項１４】
前記ＶＣパス群を構成するＶＣパスは、ＶＣ−３またはＶＣ−４のバーチャルコンテナーと、ＶＣ−４のバーチャルコンテナーでＸ個（Ｘ＝４、１６、６４、２５６）に相当するコンティギュアスコンカチネーションとの任意の組み合わせとすることを特徴とする請求項１３に記載のデータ伝送装置。
【請求項１５】
前記異なる伝送帯域のバーチャルコンテナーと、コンティギュアスコンカチネーションとのうち、伝送帯域の大きいものを伝送帯域の小さいものより先にマッピングすることを特徴とする請求項１３または１４に記載のデータ伝送装置。
【発明の詳細な説明】
【技術分野】
【０００１】
本発明は、イーサネット（登録商標）信号、ファイバチャネル信号やＯＴＮ信号等のクライアント信号をＳＤＨ信号にマッピングし、バーチャルコンカチネーションにより仮想連結する伝送する伝送システム、伝送方法、伝送装置に関する。
【背景技術】
【０００２】
ＳＤＨ／ＳＯＮＥＴ信号にイーサネット（登録商標）信号を収容し、クライアント信号を伝送するネットワークシステムが知られている（例えば特許文献１、特許文献２）。なお、ＳＤＨは、Ｓｙｎｃｈｒｏｎｏｕｓ ＤｉｇｉｔａｌＨｉｅｒａｒｃｈｙ（光ファイバーを用いた高速デジタル通信方式）、ＳＯＮＥＴは、Ｓｙｎｃｈｒｏｎｏｕｓ ＯｐｔｉｃａｌＮＥＴｗｏｒｋ（米国における光ファイバーを用いた高速デジタル通信方式）のことである。ＳＤＨとＳＯＮＥＴは基本的に同様な技術であるため、以下の説明ではＳＤＨ／ＳＯＮＥＴをＳＤＨという用語を用いて説明する。
【０００３】
また、以下の説明において、ＶＣは、ＶｉｒｔｕａｌＣｏｎｔａｉｎｅｒ（バーチャル（仮想）コンテナー）、ＶＣＡＴは、ＶｉｒｔｕａｌＣｏｎｃａｔｅｎａｔｉｏｎ（仮想連結）を意味する。ＶＣＡＴは、離散パスを一つのバーチャルコンカチネーション・グループとして取り扱うことによって、ＳＤＨ／ＳＯＮＥＴ信号の情報収容単位である単独のＶＣパスに依存しない帯域を提供できる。単独のＶＣパスとしては、例えば、ＶＣ−４、ＶＣ−３、ＶＣ−２、ＶＣ−１２、ＶＣ−１１などがある。また、複数のパスを連続連結するコンティギュアスコンカチネーションとしては、例えば、ＶＣ−４−４ｃ、ＶＣ−４−１６ｃなどがある。これらについては、特許文献１および特許文献２に記載されている。
【０００４】
図８は、現行のＳＤＨネットワークを介してクライアント信号を伝送するネットワーク構成の一例である。図８において、クライアントネットワークに含まれるクライアント装置２−１からクライアント伝送路３−１を介して伝送装置１−１にクライアント信号が送信される。なお、クライアント信号とはイーサネット（登録商標）信号、ファイバチャネル信号やＯＴＮ（Ｏｐｔｉｃａｌ  Ｔｒａｎｓｐｏｒｔ  Ｎｅｔｗｏｒｋ）信号などである。
【０００５】
伝送装置１−１は、クライアント伝送路を介して受信したクライアント信号をＳＤＨ信号にマッピングしＳＤＨ伝送路４−１−１〜４−１−Ｎ（Ｎ：任意の正整数）を介してＳＤＨネットワークに送信する。
【０００６】
伝送装置１−２は、ＳＤＨ伝送路４−２−１〜４−２−Ｎ（Ｎ：任意の正整数）を介してＳＤＨネットワークより受信したＳＤＨ信号からクライアント信号をデマッピングし、クライアント伝送路３−２を介してクライアント装置２−２に送信する。
【０００７】
なお、クライアント信号およびＳＤＨ信号は上述の方向とは逆方向にも流れているが、同様であるため説明は省略する。
【０００８】
図９は、このような伝送装置１−１，１−２の構成の一例を示す図である。先ず、クライアント伝送路２０１を介して受信したクライアント信号をＳＤＨ信号へマッピングを行い、ＳＤＨ伝送路２０３−１〜２０３−Ｎ、２０４−１〜２０４−Ｎを介してＳＤＨ信号を送信するまでの動作を説明する。
【０００９】
図９において、クライアント伝送路２０１を介して受信したクライアント信号はクライアント信号受信部１０１に入力される。クライアント信号受信部１０１は受信したクライアント信号を適切に終端し、ＳＤＨ信号にマッピングするためのバイトデータを抽出し、マッピング処理部１０２に送信する。
【００１０】
マッピング処理部１０２は、ＩＴＵ−Ｔ  Ｇ．７０７にて規定されるバーチャルコンカチネーション方式（以後、ＶＣＡＴ方式と略す）にて、受信したバイトデータをＳＤＨ信号に格納されるＶＣ−３やＶＣ−４などのＶＣパスのペイロード部分へマッピングする。ＩＴＵ−Ｔは、Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）であり、国際電気通信連合の電気通信標準化部門である。
【００１１】
図１０は、バイトデータのＶＣ−４データ部分へのマッピング順番を示す図である。ここでは例としてＶＣ−４へのマッピングを説明するが、ＶＣ−３へのマッピングも同様である。
【００１２】
ＶＣＡＴ方式では、ＶＣＡＴを構成するＶＣパス群のデータ部分であるＣ−４に対して、下記に示すように規則的に格納すべきバイトデータをマッピングしていく。
【００１３】
１個目のバイトデータ：ＳＱ＝０のＶＣパス、１列目、１行目にマッピング
２個目のバイトデータ：ＳＱ＝１のＶＣパス、１列目、１行目にマッピング
・・・
Ｘ個目のバイトデータ：ＳＱ＝Ｘ−１のＶＣパス、１列目、１行目にマッピング
Ｘ＋１個目のバイトデータ：ＳＱ＝０のＶＣパス、２列目、１行目にマッピング
・・・
Ｘ＋Ｘ個目のバイトデータ：ＳＱ＝Ｘ−１のＶＣパス、２列目、１行目にマッピング
【００１４】
このように、Ｘ×２６０×９バイトのデータがマッピングされた後に、同様な規則により次のバイトデータが繰り返しマッピングされていく。
【００１５】
図９において、マッピング処理部１０２は、上記のようにバイトデータをマッピングしたＶＣパスのデータ部分と、マッピング順番を示す情報をＶＣパス生成部１０３−１〜１０３−Ｍ（Ｍ：任意の正整数）へ送信する。ＶＣパス生成部１０３−１〜１０３−Ｍは、マッピング処理部１０２から受信した各ＶＣパスのデータ部分にＶＣＡＴ方式による情報を含むＰａｔｈ  Ｏｖｅｒｈｅａｄ（ＰＯＨ）バイトを付加する。
【００１６】
ＶＣＡＴ情報は図１１に示すＨ４マルチフレーム情報により構成される。ＶＣＡＴを構成するＶＣパス群が異なるＳＤＨ伝送路に格納され、異なる経路を経由することで生じる各ＶＣパス間の位相差に関係なく、データのマッピング・デマッピングを行うために、各ＶＣパスに位相情報が格納される。位相情報は、１ｓｔ  Ｍｕｌｔｉｆｒａｍｅ  Ｉｎｄｉｃａｔｏｒ（以後、ＭＦＩ１と略す）と２ｎｄ  Ｍｕｌｔｉｆｒａｍｅ  Ｉｎｄｉｃａｔｏｒ（以後、ＭＦＩ２と略す）から構成される４０９６マルチフレーム情報により構成される。また、各ＶＣパスへのバイトデータのマッピング順番を示すＳｅｑｕｅｎｃｅ  Ｉｎｄｉｃａｔｏｒ（以後、ＳＱ値と略す）が各ＶＣパス個別に付与される。
【００１７】
マッピング時に同一のマルチフレーム情報およびＳＱ値を各ＶＣパスに付与することで、デマッピング時にマッピング時の位相とマッピング順番を再生し、マッピングされているバイトデータを正常に復元することができる。
【００１８】
また、ＶＣパス生成部１０３−１〜１０３−Ｍは、ＶＣＡＴ方式を用いるため、全てが同一サイズのＶＣパスを処理するものとなり、ＶＣ−３あるいはＶＣ−４のどちらかのサイズのＶＣパスを処理するものである。ＶＣパス生成部１０３−１〜１０３−Ｍは、ＰＯＨ情報の付加された各ＶＣ信号をクロスコネクト部１０４に送信する。
【００１９】
クロスコネクト部１０４は、ＶＣパス生成部１０３−１〜１０３−Ｎから受信したＶＣパス信号を、ＳＤＨ信号に収容すべくタイムスロット入れ替えなどを行い、該当するＳＤＨ信号送信部１０５−１〜１０５−ＮにＶＣパス信号を送信する。
【００２０】
ＳＤＨ信号送信部１０５−１〜１０５−Ｎは、クロスコネクト部１０４から受信した各ＶＣパスにＳｅｃｔｉｏｎ  ｏｖｅｒｈｅａｄ（ＳＯＨ）を付加することでＳＴＭ−６４やＳＴＭ−１６などのＳＤＨ信号を生成し、ＳＤＨ伝送路２０３−１〜２０３−Ｎに送信する。
【００２１】
次にＳＤＨ伝送路２０４−１〜２０４−Ｎを介して受信したＳＤＨ信号からデマッピングを行うことでクライアント信号を抽出し、クライアント伝送路２０２を介してクライアント信号を送信するまでの動作を説明する。
【００２２】
ＳＤＨ信号受信部１０６−１〜１０６−Ｎは、ＳＤＨ伝送路２０４−１〜２０４−Ｎを介して受信した各ＳＤＨ信号のＳＯＨを終端し、収容されている各ＶＣパス信号を抽出しクロスコネクト部１０７に送信する。
【００２３】
クロスコネクト部１０７は、ＳＤＨ信号受信部１０６−１〜１０６−Ｎから受信したＶＣパス信号を、ＶＣパス終端部１０８−１〜１０８−Ｍで受信できるようにタイムスロット入れ替えなどを行い、該当するＶＣパス終端部１０８−１〜１０８−ＭにＶＣパス信号を送信する。
【００２４】
ＶＣパス終端部１０８−１〜１０８−Ｍは、クロスコネクト部１０７から受信した各ＶＣパス信号のＶＣＡＴ方式による情報を含んだＰＯＨバイトを終端する。また、ＶＣパス終端部１０８−１〜１０８−Ｍは、ＶＣＡＴ方式を用いるため、全てが同一サイズのＶＣパスを処理するものとなり、ＶＣ−３あるいはＶＣ−４のどちらかのサイズのＶＣパスを処理するものである。ＶＣパス終端部１０８−１〜１０８−Ｍは、ＶＣＡＴを構成する各ＶＣパスのデータと共に、各ＶＣパスのマルチフレーム情報とＳＱ値をデマッピング処理部１０９に送信する。
【００２５】
デマッピング処理部１０９は、ＶＣパス終端部１０８−１〜１０８−Ｍから受信した各ＶＣパスのマルチフレーム情報、ＳＱ値より、バイトデータをマッピングしたときの位相とマッピング順番を再生することで、正常なバイトデータを再生し、クライアント信号送信部１１０に送信する。
【００２６】
クライアント信号送信部１１０は、受信したバイトデータにクライアント信号に関する制御情報などを付与することでクライアント信号を生成し、クライアント伝送路２０２を介して送信する。
【先行技術文献】
【特許文献】
【００２７】
【特許文献１】特開２００１−０６０９３１号公報
【特許文献２】特開２００７−０１３３９０号公報
【発明の概要】
【発明が解決しようとする課題】
【００２８】
上述のように、現行のシステムでは、ＶＣＡＴ方式により、クライアント信号からのバイトデータをＶＣ−３やＶＣ−４のＶＣパスにマッピングし、複数のＶＣパスを仮想的に連結して伝送している。しかしながら、このような現行のＶＣＡＴ方式では、将来標準化が見込まれている４０ギガビットイーサネット（登録商標）（４０ＧｂＥ）や１００ギガビットイーサネット（登録商標）（１００ＧｂＥ）の処理することはできないという問題がある。
【００２９】
つまり、ＶＣＡＴ方式は、図１１に示したＨ４マルチフレームに格納されるＳＱ値を使用することで、仮想的にＶＣパスを連結した任意の帯域のバイトデータをＳＤＨ伝送路を介して送受信する方式である。図１１に示したように、マッピング順番を示す８ビットのＳＱ値（Ｓｅｑｕｅｎｃｉａｌ  ｉｎｄｉｃａｔｏｒ  ＳＱ  ＭＳＢ、およびＳｅｑｕｅｎｃｉａｌ  ｉｎｄｉｃａｔｏｒ  ＳＱ  ＬＳＢ）は、０〜２５５の範囲で使用することが可能であり、その最大の仮想連結はＶＣ−４−２５６ｖである。
【００３０】
ＶＣ−４信号の帯域は１４９．７６Ｍｂｐｓであり、これを最大数の２５６連結した場合の帯域は、
１４９．７６Ｍｂｐｓ×２５６＝３８３３８．５６Ｍｂｐｓ
となる。この帯域では、４０ギガビットイーサネット（登録商標）（４０ＧｂＥ）や１００ギガビットイーサネット（登録商標）（１００ＧｂＥ）の伝送を行うことは難しい。
【００３１】
また、上記の帯域の範囲内で処理を行う場合でも、最大２５６ものＶＣパスを管理する必要があり、管理するための時間や費用は膨大なものとなってしまう。
【００３２】
上述の課題を鑑み、本発明は、クライアント信号をＳＤＨ伝送路を介して伝送する場合に、ＶＣパスの数を増加させることなく、十分な帯域が確保できるようにしたデータ伝送システム、データ伝送方法および装置を提供することを目的とする。
【課題を解決するための手段】
【００３３】
上述の課題を解決するために、本発明は、クライアント信号をＳＤＨ伝送路を介して伝送する際に、クライアント信号をＶＣパス群にマッピングし、バーチャルコンカチネーションにより仮想連結するデータ伝送システムにおいて、ＶＣパス群を構成するＶＣパスは、コンティギュアスコンカチネーションとすることを特徴とするデータ伝送システムである。
【００３４】
本発明は、クライアント信号をＳＤＨ伝送路を介して伝送する際に、クライアント信号をＶＣパス群にマッピングし、バーチャルコンカチネーションにより仮想連結するデータ伝送方法において、クライアント信号を複数のＶＣパスにマッピングし、各ＶＣパスの信号を複数のＳＤＨ伝送路に送信する工程と、複数のＳＤＨ伝送路を介して各ＶＣパスのＳＤＨ信号を受信し、当該受信した各ＶＣパスのＳＤＨ信号をデマッピングしてクライアント信号を再生する工程とを含み、ＶＣパス群を構成するＶＣパスは、コンティギュアスコンカチネーションとすることを特徴とするデータ伝送方法である。
【００３５】
本発明は、クライアント信号をＳＤＨ伝送路を介して伝送する際に、クライアント信号をＶＣパス群にマッピングし、バーチャルコンカチネーションにより仮想連結するデータ伝送装置において、クライアント信号を複数のＶＣパスにマッピングし、各ＶＣパスの信号を複数のＳＤＨ伝送路に送信する手段と、複数のＳＤＨ伝送路を介して各ＶＣパスのＳＤＨ信号を受信し、当該受信した各ＶＣパスのＳＤＨ信号をデマッピングしてクライアント信号を再生する手段とを含み、ＶＣパス群を構成するＶＣパスは、コンティギュアスコンカチネーションとすることを特徴とするデータ伝送装置である。
【００３６】
本発明は、クライアント信号をＳＤＨ伝送路を介して伝送する際に、クライアント信号をＶＣパス群にマッピングし、バーチャルコンカチネーションにより仮想連結するデータ伝送システムにおいて、ＶＣパス群を構成するＶＣパスは、異なる伝送帯域のバーチャルコンテナーと、コンティギュアスコンカチネーションとの任意の組み合わせとすることを特徴とするデータ伝送システムである。
【００３７】
本発明は、クライアント信号をＳＤＨ伝送路を介して伝送する際に、クライアント信号をＶＣパス群にマッピングし、バーチャルコンカチネーションにより仮想連結するデータ伝送方法において、クライアント信号を複数のＶＣパスにマッピングし、各ＶＣパスの信号を複数のＳＤＨ伝送路に送信する工程と、複数のＳＤＨ伝送路を介して各ＶＣパスのＳＤＨ信号を受信し、当該受信した各ＶＣパスのＳＤＨ信号をデマッピングしてクライアント信号を再生する工程とを含み、ＶＣパス群を構成するＶＣパスは、異なる伝送帯域のバーチャルコンテナーと、コンティギュアスコンカチネーションとの任意の組み合わせとすることを特徴とするデータ伝送方法である。
【００３８】
本発明は、クライアント信号をＳＤＨ伝送路を介して伝送する際に、クライアント信号をＶＣパス群にマッピングし、バーチャルコンカチネーションにより仮想連結するデータ伝送装置において、クライアント信号を複数のＶＣパスにマッピングし、各ＶＣパスの信号を複数のＳＤＨ伝送路に送信する手段と、複数のＳＤＨ伝送路を介して各ＶＣパスのＳＤＨ信号を受信し、当該受信した各ＶＣパスのＳＤＨ信号をデマッピングしてクライアント信号を再生する手段とを含み、ＶＣパス群を構成するＶＣパスは、異なる伝送帯域のバーチャルコンテナーと、コンティギュアスコンカチネーションとの任意の組み合わせとすることを特徴とするデータ伝送装置である。
【発明の効果】
【００３９】
本発明によれば、ＶＣＡＴを構成するＶＣパスをＶＣ−３、ＶＣ−４だけでなく、ＶＣ−４−Ｘｃ（Ｘ＝４，１６，６４，２５６）に拡張することで、ＶＣパスの数を増加させずに、マッピング可能な帯域が大幅に増加できる。これにより、４０ＧｂＥ、１００ＧｂＥ信号などの大容量のクライアント信号を送受信できる。また、本発明によれば、同等な帯域を確保するためのＶＣパスの数を削減でき、ＶＣＡＴを構成する各ＶＣパスの管理が容易となる。また、本発明によれば、送受信する帯域に対するＶＣパス数を削減することで、ＶＣパス管理に必要とされる時間や費用を削減でき、きめ細かさを保ったまま、これまでＳＤＨ伝送路を介して送受信できなかった大容量のクライアント信号の送受信ができることである。
【００４０】
また、本発明によれば、ＶＣＡＴを構成するＶＣパスをＶＣ−３、ＶＣ−４、ＶＣ−４−Ｘｃ（Ｘ＝４、１６、６４、２５６）の任意の組み合わせで構成できるため、４０ＧｂＥ、１００ＧｂＥ信号などの大容量のクライアント信号を送受信できる。また、本発明によれば、同等な帯域を確保するためのＶＣパスの数を削減でき、ＶＣＡＴを構成する各ＶＣパスの管理が容易となることである。また、本発明によれば、ＶＣ−４−Ｘｃで実現する大容量なマッピング帯域にＶＣ−３、ＶＣ−４で実現する場合と同等のきめ細かいマッピング帯域を実現できる。また、本発明によれば、ＶＣ−４−Ｘｃでおおよその帯域を構成し、微調整をＶＣ−３、ＶＣ−４を用いて所望のマッピング帯域が実現されるため、ＶＣパス数が少なく、ＶＣパス管理に必要とされる時間や費用を削減できる。
【図面の簡単な説明】
【００４１】
【図１】本発明の第１の実施形態の伝送装置の構成を示すブロック図である。
【図２】イーサネット（登録商標）信号の説明図である。
【図３】ＧＦＰフレームの説明図である。
【図４】本発明の第２の実施形態の伝送装置の構成を示すブロック図である。
【図５】本発明の第２の実施形態におけるＳＴＭ信号の説明図である。
【図６】本発明の第２の実施形態におけるＳＴＭ信号への多重化の説明図である。
【図７】本発明の第２の実施形態におけるマッピングの順番の説明図である。
【図８】現行のＳＤＨネットワークの説明図である。
【図９】現行のＳＤＨネットワークにおける伝送装置の構成を示すブロック図である。
【図１０】現行のＳＤＨネットワークの伝送装置におけるマッピングの順番の説明図である。
【図１１】現行のＳＤＨネットワークの伝送装置におけるＶＣＡＴ情報の説明図である。
【発明を実施するための形態】
【００４２】
以下、本発明の実施の形態について図面を参照しながら説明する。
＜第１の実施形態＞
図１は、本発明の第１の実施形態のデータ伝送装置を示すものである。図１に示すように、本発明の第１の実施形態のデータ伝送装置は、クライアント信号受信部３０１と、マッピング処理部３０２と、ＶＣパス生成部３０３−１〜３０３−Ｍと、クロスコネクト部３０４と、ＳＤＨ信号送信部３０５−１〜３０５−Ｎと、ＳＤＨ信号受信部３０６−１〜３０６−Ｎと、クロスコネクト部３０７と、ＶＣパス終端部３０８−１〜３０８−Ｍと、デマッピング処理部３０９と、クライアント信号送信部３１０とから構成される。
【００４３】
先ず、クライアント伝送路４０１を介して受信したクライアント信号をＳＤＨ信号へマッピングを行い、ＳＤＨ伝送路４０３−１〜４０３−Ｎ、４０４−１〜４０４−Ｎを介してＳＤＨ信号を送信するまでの動作を説明する。
【００４４】
図１において、クライアント伝送路４０１を介して受信したクライアント信号は、クライアント信号受信部３０１に入力される。クライアント信号受信部３０１は、受信したクライアント信号を適切に終端し、ＳＤＨ信号にマッピングするためのバイトデータを抽出し、マッピング処理部３０２に送信する。
【００４５】
マッピング処理部３０２は、受信したバイトデータをＳＤＨ信号に格納される複数のＶＣパスのペイロード部分へマッピングする。本発明の第１の実施形態では、ＶＣパスは、ＶＣ−４−４ｃに拡張されている。ここで、ＶＣ−４−４ｃは、４個のＶＣ−４のバーチャルコンテナーのコンティギュアスコンカチネーションである。この実施形態では、ＶＣＡＴを構成するＶＣパスを、ＶＣ−４−４ｃに拡張することにより、大容量のバイトデータをＳＤＨ信号にて送受信することが可能となる。ここで、ＶＣ−４−４ｃとしているのは４０ＧｂＥをマッピングする例を用いて動作を説明しているためであり、方式としては、ＶＣ−４−Ｘｃ（Ｘ＝４、１６、６４、２５６）等、ＶＣパスのサイズは任意の値でよい。このことについて、後に説明する。
【００４６】
ＶＣパス生成部３０３−１〜３０３−Ｍは、マッピング処理部３０２から受信した各ＶＣパスのデータ部分にＶＣＡＴ方式による情報を含むＰＯＨ（Ｐａｔｈ  Ｏｖｅｒｈｅａｄ）バイトを付加し、ＰＯＨ情報の付加された各ＶＣ信号をクロスコネクト部３０４に送信する。ＶＣＡＴ情報は、Ｈ４マルチフレーム情報により構成される。ＶＣＡＴを構成するＶＣパス群が異なるＳＤＨ伝送路に格納され、異なる経路を経由することで生じる各ＶＣパス間の位相差に関係なく、データのマッピング・デマッピングを行うために、各ＶＣパスに位相情報が格納される。位相情報は、ＭＦＩ１とＭＦＩ２とから構成される４０９６マルチフレーム情報により構成される。また、各ＶＣパスへのバイトデータのマッピング順番を示すＳＱ値が各ＶＣパス個別に付与される。この処理は、現行のＶＣＡＴ方式と同様である（図１１参照）。各々のＶＣパス生成部３０３−１〜３０３−Ｍにて処理するＶＣパスのサイズは、ＶＣ−４−４ｃである。ここで、ＶＣ−４−４ｃとしているのは、４０ＧｂＥをマッピングする例を用いて動作を説明しているためであり、方式としては、ＶＣ−４−Ｘｃ（Ｘ＝４、１６、６４、２５６）等、ＶＣパス群のサイズは任意の値に統一されていればよい。
【００４７】
クロスコネクト部３０４は、ＶＣパス生成部３０３−１〜３０３−Ｎから受信したＶＣパス信号を、ＳＤＨ信号に収容すべくタイムスロット入れ替えなどを行い、該当するＳＤＨ信号送信部３０５−１〜３０５−ＮにＶＣパス信号を送信する。
【００４８】
ＳＤＨ信号送信部３０５−１〜３０５−Ｎは、クロスコネクト部３０４から受信した各ＶＣパスにＳＯＨ（Ｓｅｃｔｉｏｎ  ｏｖｅｒｈｅａｄ）を付加することで、ＳＤＨ信号を生成しＳＤＨ伝送路４０３−１〜４０３−Ｎに送信する。
【００４９】
次にＳＤＨ伝送路４０４−１〜４０４−Ｎを介して受信したＳＤＨ信号からデマッピングを行うことでクライアント信号を抽出し、クライアント伝送路４０２を介してクライアント信号を送信するまでの動作を説明する。
【００５０】
図１において、ＳＤＨ信号受信部３０６−１〜３０６−Ｎは、ＳＤＨ伝送路４０４−１〜４０４−Ｎを介して受信した各ＳＤＨ信号のＳＯＨを終端し、収容されている各ＶＣパス信号を抽出しクロスコネクト部３０７に送信する。
【００５１】
クロスコネクト部３０７はＳＤＨ信号受信部３０６−１〜３０６−Ｎから受信したＶＣパス信号を、ＶＣパス終端部３０８−１〜３０８−Ｍで受信できるようにタイムスロット入れ替えなどを行い、該当するＶＣパス終端部３０８−１〜３０８−ＭにＶＣパス信号を送信する。
【００５２】
ＶＣパス終端部３０８−１〜３０８−Ｍは、各ＶＣパス信号のＶＣＡＴ方式による情報を含んだＰＯＨバイトを終端する。なお、各々のＶＣパス終端部３０８−１〜３０８−Ｍにて処理するＶＣパスのサイズは、ＶＣ−４−４ｃである。ＶＣパス終端部３０８−１〜３０８−Ｍは、各ＶＣ−４−４ｃ信号のＶＣパスのデータと共に、各ＶＣパスのマルチフレーム情報とＳＱ値をデマッピング処理部３０９に送信する。ここで、ＶＣ−４−４ｃとしているのは、４０ＧｂＥをマッピングする例を用いて動作を説明しているためであり、方式としては、ＶＣ−４−Ｘｃ（Ｘ＝４、１６、６４、２５６）等、ＶＣパス群のサイズは任意の値に統一されていればよい。
【００５３】
デマッピング処理部３０９は、ＶＣパス終端部３０８−１〜３０８−Ｍから受信した各ＶＣ−４−４ｃパスのマルチフレーム情報、ＳＱ値より、バイトデータをマッピングしたときの位相とマッピング順番を再生することで、正常なバイトデータを再生し、クライアント信号送信部３１０に送信する。ここで、ＶＣ−４−４ｃとしているのは、４０ＧｂＥをマッピングする例を用いて動作を説明しているためであり、方式としては、ＶＣ−４−Ｘｃ（Ｘ＝４、１６、６４、２５６）等、各ＶＣパスのサイズは任意の値に統一されていればよい。
【００５４】
クライアント信号送信部３１０は受信したバイトデータにクライアント信号に関する制御情報などを付与することでクライアント信号を生成し、クライアント伝送路４０２を介して送信する。
【００５５】
上述のように、本発明の第１の実施形態では、ＶＣＡＴを構成するＶＣパスを、ＶＣ−４−４ｃに拡張している。これにより、大容量のバイトデータをＳＤＨ信号にて送受信することが可能となる。このことについて、以下に説明する。なお、ここでは、ＶＣ−４−４ｃを用いて、４０ＧｂＥのイーサネット（登録商標）信号のデータをＳＤＨ信号にマッピングする例について説明する。
【００５６】
イーサネット（登録商標）信号をＳＤＨ信号の伝送路で伝送する場合、イーサネット（登録商標）信号から制御情報が除かれ、ＧＦＰフレームに格納される。すなわち、図２に示すように、イーサネット（登録商標）信号は、ＭＡＣフレームの他に、プリアンブル、ＳＦＤ、ＩＤＬＥといった制御情報から構成される。プリアンブル／ＳＦＤは８バイトであり、ＩＤＬＥは１２バイトであり、合計で２０バイトである。ＳＤＨ伝送路を介して送受信すべきデータは、制御情報を除くＭＡＣフレームのみであり、プリアンブル、ＳＦＤ、ＩＤＬＥ等の２０バイトの制御情報は除かれる。
【００５７】
また、図３に示すように、ＧＦＰフレームはＭＡＣフレームが格納されるｐａｙｌｏａｄ  ｉｎｆｒｏｍａｔｉｏｎ  ｆｉｅｌｄ(ペイロードインフォメーションフィールド)の他に、Ｃｏｒｅ  ｈｅａｄｅｒ（コアヘッダ）、Ｐａｙｌｏａｄ  ｈｅａｄｅｒ（ペイロードヘッダ）、および、Ｐａｙｌｏａｄ  ＦＣＳ（ペイロードＦＣＳ）といった制御情報から構成される。なお、ＧＦＰフレームは、Ｇｅｎｅｒｉｃ  Ｆｒａｍｉｎｇ  Ｐｒｏｃｅｄｕｒｅ（ＧＦＰ；汎用フレーム化手順）であり、ＩＴＵ−Ｔ  Ｇ．７０４１で規定されている。ここで、ＭＡＣフレームをカプセル化するためには、ペイロードヘッダは４バイト必要であり、ペイロードＦＣＳは不要である。
【００５８】
よって、４０ＧｂＥ信号の制御情報を削除したＭＡＣフレームをＧＦＰフレームでカプセル化した場合、イーサネット（登録商標）データのバイト数をＬとすると、
バイトデータ帯域＝４０Ｇｂｐｓ×｛（Ｌ＋８）／（Ｌ＋２０）｝
となる。ここで、ＭＡＣフレームサイズの最大値を１００００バイトとした場合、ＳＤＨ信号の帯域は、
バイトデータ帯域＝３９．９５２１Ｇｂｐｓ
となる。
【００５９】
現行のＶＣ−４信号を仮想連結した場合、ＶＣ−４信号の帯域は１４９．７６Ｍｂｐｓであるので、最大数の２５６連結したときの帯域は、
１４９．７６Ｍｂｐｓ×２５６＝３８３３８．５６Ｍｂｐｓ
となる。この帯域では、４０ＧｂＥのイーサネット（登録商標）データを伝送するには、帯域が不足する。
【００６０】
これに対して、本発明の第１の実施形態では、４個のＶＣ−４のコンティギュアスコンカチネーション（ＶＣ−４−４ｃ）をＶＣパスとして仮想連結している。４個のＶＣ−４信号のコンティギュアスコンカチネーションの帯域は、
１４９．７６Ｍｂｐｓ×４＝５９９．０４Ｍｂｐｓ
である。このＶＣ−４−４ｃを最大数の２５６連結したときの帯域は、
１４９．７６Ｍｂｐｓ×４×２５６＝１５３３５４．２４Ｍｂｐｓ
となる。このように、ＶＣパスをＶＣ−４−４ｃに拡張すれば、４０ＧｂＥ信号のイーサネット（登録商標）信号を十分に伝送するだけの帯域を確保できる。
【００６１】
なお、ここでは、４０ＧｂＥをマッピングする例を用いて動作させるために、ＶＣパス群を構成するＶＣパスのサイズをＶＣ−４−４ｃとしているが、コンティギュアスコンカチネーションにおける連続連結数をＸとした一般的な、ＶＣ−４−Ｘｃ（Ｘ＝４、１６、６４、２５６）とし、ＶＣパス群を構成するＶＣパスのサイズは任意の値に統一されていればよい。
【００６２】
また、上述の例では、ＳＱ値の上限を２５６としてるが、ＳＱ値をそれ以上の値に拡張すれば、それ以上の帯域を確保できる。例えば、２６８個のＶＣ−４を用い、ＶＣ−４−２６８ｖのＶＣＡＴ方式とすれば、その帯域は、
１４９．７６Ｍｂｐｓ×２６８＝４０１３５．６８Ｍｂｐｓ
となり、４０ＧｂＥ信号の送受信が可能である。しかしながら、２６８個のＶＣパスを管理するのは困難である。
【００６３】
これに対して、本発明の第１の実施形態では、６７個のＶＣ−４−４ｃ信号を用いることで、その帯域は、
１４９．７６Ｍｂｐｓ×４×６７＝４０１３５．６８Ｍｂｐｓ
となり、４０ＧｂＥ信号の送受信が可能である。パスの管理数が１／４で済むことから、パス管理に必要な時間と費用を大幅に削減できる。
【００６４】
＜第２の実施形態＞
次に、本発明の第２の実施形態について説明する。図４は、本発明の第２の実施形態の伝送装置の構成を示す。図４に示すように、本発明の第２の実施形態のデータ伝送装置は、クライアント信号受信部５０１と、マッピング処理部５０２と、ＶＣパス生成部５０３−１〜５０３−Ｍと、クロスコネクト部５０４と、ＳＤＨ信号送信部５０５−１〜５０５−Ｎと、ＳＤＨ信号受信部５０６−１〜５０６−Ｎと、クロスコネクト部５０７と、ＶＣパス終端部５０８−１〜５０８−Ｍと、デマッピング処理部５０９と、クライアント信号送信部１１０とから構成される。
【００６５】
先ず、クライアント伝送路６０１を介して受信したクライアント信号をＳＤＨ信号へマッピングを行い、ＳＤＨ伝送路６０３−１〜６０３−Ｎ、６０４−１〜６０４−Ｎを介してＳＤＨ信号を送信するまでの動作を説明する。
【００６６】
図４において、クライアント伝送路６０１を介して受信したクライアント信号は、クライアント信号受信部５０１に入力される。クライアント信号受信部５０１は受信したクライアント信号を適切に終端し、ＳＤＨ信号にマッピングするためのバイトデータを抽出し、マッピング処理部５０２に送信する。
【００６７】
マッピング処理部５０２は、受信したバイトデータをＳＤＨ信号に格納される複数のＶＣパスのペイロード部分へマッピングする。本発明の第２の実施例では、ＶＣＡＴを構成する各ＶＣパスのサイズを統一するという条件は無く、ＶＣＡＴを構成するＶＣパス群は、ＶＣ−３やＶＣ−４、ＶＣ−４−Ｘｃのように混在していても良い。
【００６８】
ＶＣパス生成部５０３−１〜５０３−Ｍは、現行のＶＣＡＴ方式と同様に、各ＶＣパスのデータにＰＯＨ情報を付与することで、ＶＣパス信号を生成する。なお、各々のＶＣパス生成部５０３−１〜５０３−Ｍにて処理するＶＣパスのサイズは、ＶＣ−３やＶＣ−４、ＶＣ−４−Ｘｃのように混在していても良い。
【００６９】
ＶＣパス生成部５０３−１〜５０３−Ｍは、マッピング処理部５０２から受信した各ＶＣパスのデータ部分にＶＣＡＴ方式による情報を含むＰＯＨ（Ｐａｔｈ  Ｏｖｅｒｈｅａｄ）バイトを付加し、ＰＯＨ情報の付加された各ＶＣ信号をクロスコネクト部５０４に送信する。
【００７０】
クロスコネクト部５０４は、ＶＣパス生成部５０３−１〜５０３−Ｎから受信したＶＣパス信号を、ＳＤＨ信号に収容すべくタイムスロット入れ替えなどを行い、該当するＳＤＨ信号送信部５０５−１〜５０５−ＮにＶＣパス信号を送信する。
【００７１】
ＳＤＨ信号送信部５０５−１〜５０５−Ｎは、クロスコネクト部５０４から受信した各ＶＣパスにＳＯＨ（Ｓｅｃｔｉｏｎ  ｏｖｅｒｈｅａｄ）を付加することで、ＳＤＨ信号を生成しＳＤＨ伝送路６０３−１〜６０３−Ｎに送信する。
【００７２】
次にＳＤＨ伝送路６０４−１〜６０４−Ｎを介して受信したＳＤＨ信号からデマッピングを行うことでクライアント信号を抽出し、クライアント伝送路６０２を介してクライアント信号を送信するまでの動作を説明する。
【００７３】
ＳＤＨ信号受信部５０６−１〜５０６−Ｎは、ＳＤＨ伝送路６０４−１〜６０４−Ｎを介して受信した各ＳＤＨ信号のＳＯＨを終端し、収容されている各ＶＣパス信号を抽出しクロスコネクト部５０７に送信する。
【００７４】
クロスコネクト部５０７はＳＤＨ信号受信部５０６−１〜５０６−Ｎから受信したＶＣパス信号を、ＶＣパス終端部５０８−１〜５０８−Ｍで受信できるようにタイムスロット入れ替えなどを行い、該当するＶＣパス終端部５０８−１〜５０８−ＭにＶＣパス信号を送信する。
【００７５】
ＶＣパス終端部５０８−１〜５０８−Ｍは、各ＶＣパス信号のＶＣＡＴ方式による情報を含んだＰＯＨバイトを終端する。なお、各々のＶＣパス終端部５０８−１〜５０８−Ｍにて処理するＶＣパスのサイズは、ＶＣ−３やＶＣ−４、ＶＣ−４−Ｘｃのように混在していても良い。
【００７６】
デマッピング処理部５０９は、ＶＣパス終端部５０８−１〜５０８−Ｍから受信した各ＶＣ−４−４ｃパスのマルチフレーム情報、ＳＱ値より、バイトデータをマッピングしたときの位相とマッピング順番を再生することで、正常なバイトデータを再生し、クライアント信号送信部１１０に送信する。
【００７７】
クライアント信号送信部１１０は受信したバイトデータにクライアント信号に関する制御情報などを付与することでクライアント信号を生成し、クライアント伝送路６０２を介して送信する。
【００７８】
上述のように、本発明の第２の実施形態では、ＶＣＡＴを構成する各ＶＣパスのサイズを統一するという条件は無く、ＶＣＡＴを構成するＶＣパス群がＶＣ−３やＶＣ−４、ＶＣ−４−Ｘｃのように混在していても良い。このため、マッピング処理部５０２、ＶＣパス生成部５０３−１〜５０３−Ｍ、ＶＣパス終端部５０８−１〜５０８−Ｍ、および、デマッピング処理部５０９の動作が第１の実施形態と異なっている。ここでは、上記の動作が異なる部分を中心に説明する。ここでは、クライアント信号を２つのＶＣ−４−４ｃと１つのＶＣ−４から構成されるＶＣＡＴに収容することで、ＳＤＨ信号にマッピングする例を用いて説明する。
【００７９】
図５はＳＴＭ−１６信号に、３つのＶＣ−４−４ｃのパス（ＶＣパスＡ、ＶＣパスＢ、ＶＣパスＤ）と、４つのＶＣ−４のパス（ＶＣパスＷ、ＶＣパスＸ、ＶＣパスＹ、ＶＣパスＺ）をマッピングする場合の多重化の様子を示すものである。図６は、ＳＴＭ−１６信号に格納されるＡＵＧ−１６と、ＶＣパスＡ、ＶＣパスＢ、ＶＣパスＤのＶＣ−４−４ｃ信号、および、ＶＣパスＷ〜ＶＣパスＺのＶＣ−４信号の多重化順番を示す図である。
【００８０】
例としてＳＴＭ−１６信号に格納される、ＶＣ−４−４ｃパスであるＶＣパスＡ、ＶＣパスＤと、ＶＣ−４パスであるＶＣパスＸを仮想的に連結したデータに対して、クライアントデータを格納する動作について説明する。
【００８１】
ＶＣパスＡとＶＣパスＤのＶＣ−４−４ｃ信号と、ＶＣパスＸのＶＣ−４信号は、収容されるデータ帯域が異なるため、ＡＵＧ−１６に多重化されるバイト数も異なっている。ＶＣ−４−４ｃパスはＶＣ−４パスの４倍の帯域を有し、ＡＵＧ−１６に多重化されるバイト数も４倍となる。したがって、現行のＶＣＡＴ方式（図１０参照）と同様な順番で、バイトデータをマッピングすることができない。
【００８２】
図５の多重化を示す図では、ＡＵＧ−４＃１にＶＣパスＡが、ＡＵＧ−４＃３にＶＣパスＸが、ＡＵＧ−４＃４にＶＣパスＤが格納されており、ＶＣパスＡ、ＶＣパスＸ、ＶＣパスＤの順番で多重化される。しかしながら、クライアント信号のバイトデータを正常にデマッピングし再生するために、帯域の大きいＶＣパスＡ、ＶＣパスＤのマッピング順番を帯域の小さいＶＣパスＡよりも前とする。つまり、ＶＣパスＡのＳＱ＝０、ＶＣパスＤのＳＱ＝１、ＶＣパスＸのＳＱ＝２とする。
【００８３】
図７はＶＣ−４−４ｃ信号とＶＣ−４信号が混在する、仮想的に連結されたデータへの、バイトデータのマッピング順番を示す図である。この実施形態では、図７に示すように、ＶＣＡＴを構成するＶＣパス群のデータ部分であるＣ−４−４ｃ、Ｃ−４に対して、下記に示すように規則的に格納すべきバイトデータをマッピングしていく。
【００８４】
１個目のバイトデータ：ＳＱ＝０のＶＣパスＡ、１列目、１行目にマッピング
２個目のバイトデータ：ＳＱ＝１のＶＣパスＤ、１列目、１行目にマッピング
３個目のバイトデータ：ＳＱ＝０のＶＣパスＡ、２列目、１行目にマッピング
４個目のバイトデータ：ＳＱ＝１のＶＣパスＤ、２列目、１行目にマッピング
５個目のバイトデータ：ＳＱ＝０のＶＣパスＡ、３列目、１行目にマッピング
６個目のバイトデータ：ＳＱ＝１のＶＣパスＤ、３列目、１行目にマッピング
７個目のバイトデータ：ＳＱ＝０のＶＣパスＡ、４列目、１行目にマッピング
８個目のバイトデータ：ＳＱ＝１のＶＣパスＤ、４列目、１行目にマッピング
９個目のバイトデータ：ＳＱ＝２のＶＣパスＸ、１列目、１行目にマッピング
１０個目のバイトデータ：ＳＱ＝０のＶＣパスＡ、５列目、１行目にマッピング
・・・
２３４０個目のバイトデータ：ＳＱ＝２のＶＣパスＸ、９列目、２６０行目にマッピング
【００８５】
このように、２６０×４×９＋２６０×９＝２３４０バイトのデータがマッピングされた後に、同様な規則により次のバイトデータが繰り返しマッピングされていく。
【００８６】
図４におけるマッピング処理部５０２は、上記のようにバイトデータをマッピングしたＶＣパスのデータ部分と、マッピング順番を示す情報をＶＣパス生成部５０３−１〜５０３−Ｍ（Ｍ：任意の正整数）へ送信する。
【００８７】
ＶＣパス生成部５０３−１〜５０３−Ｍは、現行のＶＣＡＴ方式と同様に、各ＶＣパスのデータにＰＯＨ情報を付与することで、ＶＣパス信号を生成する。この第２の実施形態では、各々のＶＣパス生成部５０３−１〜５０３−Ｍにて処理するＶＣパスのサイズがＶＣ−３、ＶＣ−４やＶＣ−４−Ｘｃのいずれかに統一されていなくても良い。
【００８８】
ＶＣパス終端部５０８−１〜５０８−Ｍは、現行のＶＣＡＴ方式と同様に、各ＶＣパス信号のＶＣＡＴ方式による情報を含んだＰＯＨバイトを終端する。第２の実施例では、各々のＶＣパス終端部５０８−１〜５０８−Ｍにて処理するＶＣパスのサイズがＶＣ−３、ＶＣ−４やＶＣ−４−Ｘｃのいずれかに統一されていなくてもよい。そして、ＶＣパス終端部５０８−１〜５０８−Ｍは、各ＶＣ−４−４ｃ信号のＶＣパスのデータと共に、各ＶＣパスのマルチフレーム情報とＳＱ値をデマッピング処理部５０９に送信する。さらに、ＶＣパス終端部５０８−１〜５０８−ＭでＶＣパスを終端することで、各々のＶＣパスのサイズが分かるが、ＶＣパス終端部５０８−１〜５０８−ＭはこのＶＣサイズ情報も合わせてデマッピング処理部５０９に送信する。
【００８９】
デマッピング処理部５０９は、ＶＣパス終端部５０８−１〜５０８−Ｍから受信した各ＶＣ−４−４ｃパスのマルチフレーム情報、ＳＱ値、および、ＶＣサイズ情報より、バイトデータをマッピングしたときの位相とマッピング順番を再生することで、正常なバイトデータを再生する。マッピング順番については、マッピング処理部５０２の説明で述べた、ＶＣパスのサイズを考慮してデマッピングを行う必要がある。
【００９０】
このように、本発明の第２の実施形態では、ＶＣＡＴを構成するＶＣパスをＶＣ−３、ＶＣ−４、ＶＣ−４−Ｘｃの任意の組み合わせとすることで、本発明の第１の実施例に比べよりクライアント信号の帯域に近いきめ細かい帯域でのマッピングが実現可能となる。また、第１の実施例と同様に、４０ＧｂＥや１００ＧｂＥといった、従来のＶＣＡＴ方式ではマッピングできなかった大容量のクライアント信号をＳＤＨ伝送路を介して送受信することが可能である。
【００９１】
本発明は、上述した実施形態に限定されるものではなく、本発明の要旨を逸脱しない範囲内で様々な変形や応用が可能である。
【符号の説明】
【００９２】
１０１，３０１，５０１  クライアント信号受信部
１０２，３０２，５０２  マッピング処理部
１０３−１〜１０３−Ｍ，３０３−１〜３０３−Ｍ，５０３−１〜５０３−Ｍ  ＶＣパス生成部
１０４，３０４，５０４  クロスコネクト部
１０５−１〜１０５−Ｎ，３０５−１〜３０５−Ｎ，５０５−１〜５０５−Ｎ  ＳＤＨ信号送信部
１０６−１〜１０６−Ｎ，３０６−１〜３０６−Ｎ，５０６−１〜５０６−Ｎ  ＳＤＨ信号受信部
１０７，３０７，５０７  クロスコネクト部
１０８−１〜１０８−Ｍ，３０８−１〜３０８−Ｍ，５０８−１〜５０８−Ｍ  ＶＣパス終端部
１０９，３０９，５０９  デマッピング処理部
１１０，３１０．５１０   クライアント信号送信部
【図１】
2010273016.tif 000003
【図２】
2010273016.tif 000004
【図３】
2010273016.tif 000005
【図４】
2010273016.tif 000006
【図５】
2010273016.tif 000007
【図６】
2010273016.tif 000008
【図７】
2010273016.tif 000009
【図８】
2010273016.tif 000010
【図９】
2010273016.tif 000011
【図１０】
2010273016.tif 000012
【図１１】
2010273016.tif 000013